(57)【要約】【課題】先端面に彫刻が施された刻印面を備える印鑑、又はその印鑑を内挿して保持する印鑑ホルダにおいて、ＲＦＩＤタグ（ＩＣタグ）等の記憶素子を備えていない捺印対象物への捺印を管理することができる印鑑又は印鑑ホルダを提供する。【解決手段】印鑑２又は印鑑ホルダ１は、捺印対象物７への捺印と同時に、捺印対象物７にＲＦＩＤタグ（ＩＣタグ）等の記憶素子３を貼り付ける貼付手段４を備える。記憶素子３には、捺印と同時に捺印情報を書込むようにしてもよく、この場合、印鑑２に記憶手段２ａを設け、捺印情報の少なくとも一部をこの記憶手段２ａに予め記憶させておくようにしてもよい。又、貼付手段４は複数設けてもよい。又、貼付手段４は周方向に回転自在に設けてもよい。【選択図】図１
2007125723.tif 000002
【特許請求の範囲】
【請求項１】
先端面に彫刻が施された刻印面を備える印鑑において、
捺印対象物への捺印と同時に、捺印対象物に記憶素子を貼り付ける貼付手段を備えることを特徴とする印鑑。
【請求項２】
先端面に彫刻が施された刻印面を備える印鑑を内挿して保持する印鑑ホルダにおいて、
捺印対象物への捺印と同時に、捺印対象物に記憶素子を貼り付ける貼付手段を備えることを特徴とする印鑑ホルダ。
【請求項３】
前記記憶素子は、捺印と同時に捺印情報が書込まれることを特徴とする請求項１又は２記載の印鑑又は印鑑ホルダ。
【請求項４】
前記印鑑に記憶手段を設け、
前記捺印情報の少なくとも一部は、該記憶手段に記憶されていることを特徴とする請求項３記載の印鑑又は印鑑ホルダ。
【請求項５】
前記貼付手段は、複数設けられていることを特徴とする請求項１〜４のいずれか１項に記載の印鑑又は印鑑ホルダ。
【請求項６】
前記貼付手段は、周方向に回転自在に設けられていることを特徴とする請求項１〜５のいずれか１項に記載の印鑑又は印鑑ホルダ。
【発明の詳細な説明】
【技術分野】
【０００１】
本発明は、先端面に彫刻が施された刻印面を備える印鑑、及びその印鑑を内挿して保持する印鑑ホルダに関する。
【背景技術】
【０００２】
従来、書類情報が記憶された記憶素子としてのＲＦＩＤ（Ｒａｄｉｏ  Ｆｒｅｑｕｅｎｃｙ  Ｉｄｅｎｔｉｆｉｃａｔｉｏｎ）タグ（ＩＣタグ）が設けられた書類に、印鑑情報が記憶された記憶装置とリーダとを備える印鑑を用いて、捺印と同時にＲＦＩＤタグから書類情報を、記憶装置から印鑑情報を読み取り、読み取った書類情報及び印鑑情報をサーバに送信する印鑑が知られている（例えば、特許文献１参照）。これによれば、サーバに蓄積された書類情報及び印鑑情報の組み合わせからなるデータベースにより、どの書類に、どの印鑑で捺印したかを管理することができる。
【０００３】
しかしながら、従来のものでは、ＲＦＩＤタグを備える書類を用いなければ、書類を識別することができないため、捺印を管理することができなかった。従って、ＲＦＩＤタグを備えていない書類を用いる場合、捺印の前にＲＦＩＤタグを貼り付けて、その後、捺印する必要があり面倒である。
【特許文献１】特開２００２−１２０４７５号公報（第１１−１２頁、第１３図、第１４図）
【発明の開示】
【発明が解決しようとする課題】
【０００４】
本発明は、以上の点に鑑み、記憶素子を備えていない捺印対象物への捺印を管理することができる印鑑又は印鑑ホルダを提供することを目的とする。
【課題を解決するための手段】
【０００５】
上記目的を達成するため、本発明は、先端面に彫刻が施された刻印面を備える印鑑において、捺印対象物への捺印と同時に、捺印対象物に記憶素子を貼り付ける貼付手段を備えることを特徴とする。
【０００６】
又、本発明は、先端面に彫刻が施された刻印面を備える印鑑を内挿して保持する印鑑ホルダにおいて、捺印対象物への捺印と同時に、捺印対象物に記憶素子を貼り付ける貼付手段を備えることを特徴とする。
【０００７】
かかる構成によれば、捺印対象物に捺印すると同時に、貼付手段により捺印対象物に記憶素子を貼り付けることができるため、記憶素子を備えていない捺印対象物であっても、別途記憶素子を捺印対象物に貼り付ける作業を要することなく、容易に捺印を管理することができる。
【０００８】
又、捺印と同時に、印影や捺印者、捺印日時等の捺印情報を記憶素子に書込むようにすれば、記憶素子に書込まれた情報を読み取ることにより、サーバに蓄積されたデータベース等にアクセスすることなく、捺印の適否を容易に判断することができる。
【０００９】
又、印鑑に記憶手段を設け、記憶素子に書込まれる捺印情報の少なくとも一部の情報を記憶手段に記憶させるようにすれば、異なる印鑑を用いて捺印した場合には、異なる情報が記憶素子に書込まれるため、記憶手段を印鑑以外に設けた場合と比較し、印鑑を変更するごとに記憶手段に記憶された情報を変更する必要がなく、有利である。
【００１０】
又、貼付手段が１つである場合、印鑑により割り印を押すときには、一方の捺印対象物にのみ記憶素子が貼り付けられることとなり、他方の捺印対象物には記憶素子を貼り付けることができない。この場合、貼付手段を複数設けておけば、割り印を押す際においても、両方の捺印対象物に記憶素子を貼り付けることができる。
【００１１】
又、捺印対象物によっては、捺印箇所に対する記憶素子の貼付位置に文字等が記載されており、記憶素子の貼付けにより文字等が隠れてしまう虞がある。そこで、貼付手段を周方向に回転自在に設ければ、記憶素子の貼付けにより文字等が隠れないように貼付位置を調節することができ、有利である。
【発明を実施するための最良の形態】
【００１２】
本発明の実施の形態を図１から図２を参照して説明する。図１は本発明の実施形態の印鑑ホルダの説明図、図２は捺印した状態を示す説明図である。
【００１３】
本発明の実施形態の印鑑ホルダ１は、先端面に彫刻が施された刻印面を備える印鑑本体２を内挿して保持するものであり、記憶素子としてのＲＦＩＤ（Ｒａｄｉｏ  Ｆｒｅｑｕｅｎｃｙ  Ｉｄｅｎｔｉｆｉｃａｔｉｏｎ）タグ（ＩＣタグ）３を貼り付ける貼付手段としての貼付装置４を備える。
【００１４】
ＲＦＩＤタグとしては、パッシブ型、セミパッシブ型、アクティブ型等の種々のタイプのものがあるが、実施形態のＲＦＩＤタグ３としては、捺印対象物としての書類に貼り付けるものであり小型化が要求されるため、電池を搭載していないパッシブ型を用いることが好ましい。但し、書類に貼り付けた際に支障が生じなければ、電池を搭載したセミパッシブ型、アクティブ型等であってもよい。
【００１５】
実施形態のＲＦＩＤタグ３は、図示しないが、コイルを形成するアンテナと、記憶部を備えるＩＣチップと、アンテナとＩＣチップとを支持する基板とで構成されている。又、ＩＣチップは、アンテナを介して前記記憶部に記憶された情報を送信する送信部を備え、送信部により送信された情報は、リーダで受信する。具体的には、前記ＩＣチップには、コンデンサが設けられており、ＲＦＩＤタグ３はコイルを構成するアンテナとＩＣチップ内に設けられたコンデンサにより構成される共振回路の共振周波数がリーダの搬送波と一致するように設定され、リーダはＲＦＩＤタグ３をこの周波数で共振させて前記記憶部に記憶された情報を読み取る。
【００１６】
印鑑ホルダ１は、上方に突出する摘片１０ａを備える天板１０ｂと天板１０ｂの周縁から垂下する筒状部１０ｃとで構成されるホルダ本体１０と、ホルダ本体１０を周方向に回転自在に保持する保持体１１とを備え、ホルダ本体１０に印鑑本体２が内挿され保持される。又、保持体１１には、下方に縮径部５ａを備える円柱状の貼付部５がその上端部と保持体１１の上端部とを接続する橋絡部５ｂを介して設けられている。又、印鑑本体２には記憶手段としてのＲＦＩＤタグ２ａが設けられており、印鑑本体２の印影情報と印鑑本体２の所有者を特定する個人情報とからなる印鑑情報が記憶されている。
【００１７】
貼付装置４は、貼付部５と、装置本体４１と、貼付部５が上方から挿入されるガイド部４２とで構成される。ガイド部４２は上方から大径部４２ａと小径部４２ｂとで構成される。又、この大径部４２ａと小径部４２ｂとにより構成される段部４２ｃと、貼付部５の縮径部５ａによって形成される段部５ｃとの間には、ばね６が縮径部５ａの外周を覆うように配置されている。これにより、捺印した後、ばね６の付勢力により自動的に印鑑本体２が元の位置に戻る。
【００１８】
又、装置本体４１には、ロール紙３１がセットされている。ロール紙３１は、ＲＦＩＤタグ３がシール３２に覆われて複数連続して配置された台紙３３を軸３４に巻き付けたものであり、軸３４を中心に回転自在にセットされている。
【００１９】
又、装置本体４１には台紙３３をローラ４３により送る送り機構（図示省略）が設けられている。前記送り機構は、図２に示すように、捺印した際に、捺印による押圧力を図示しない歯車を介しこれを動力として用いて台紙３３を送る。又、前記送り機構は、一度の捺印に対し台紙３３をシール３２の１枚分だけ送るように構成されている。ＲＦＩＤタグ３は、ガイド部４２の下方に設けられた送出部４４でシール３２と共に台紙３３から剥がれ、捺印と共に下方へ移動する貼付部５により押圧され、捺印対象物としての書類７に貼り付けられる。又、ばね６の付勢力により貼付部５を介してホルダ本体１０が押し戻される際には、送り機構はばね６の付勢力を歯車（図示省略）を介してローラ４３に伝達させないように構成されている。このため、捺印後に台紙３３が巻き戻されることを防止することができる。
【００２０】
又、ホルダ本体１０が保持体１１に回転自在に保持されているため、摘片１０ａを摘んで保持体１１を回転させることにより、保持体１１と共に貼付装置４が周方向に回転し、ＲＦＩＤタグ３を貼付ける位置を調整することができる。これにより、ＲＦＩＤタグ３の貼付位置を書類７に記載された文字等と重ならないように調節することができる。
【００２１】
尚、実施形態の印鑑ホルダ１においては、説明を簡明にするため、貼付装置４を１つしか設けていないものについて説明したが、割り印を押す際にも対応できるように少なくとも一対の貼付装置４を設けることが好ましい。これにより、割り印を押す際にも、両方の書類７にＲＦＩＤタグ３を貼り付けることができる。
【００２２】
又、書類７にＲＦＩＤタグ３を貼り付けたくない場合に対応できるように、貼付装置４に、捺印による押圧力の歯車（図示省略）への伝達を解除する貼付解除機能（図示省略）を設けることが好ましい。特に、貼付装置４を複数設けた場合においては、１つの書類７にのみ捺印する際に、他の貼付装置４によるＲＦＩＤタグ３の貼り付けを解除することができる。
【００２３】
又、ＲＦＩＤタグ３には、個々異なる識別コードが記憶されている。この識別コードにより書類７ごとの管理が行えるようになる。具体的には、感圧装置８ａと、図示しないタイマを有するリーダ／ライタ８ｂとを備える捺印台８が感圧装置８ａにより捺印を感知すると、リーダ／ライタ８ｂが、ＲＦＩＤタグ３から識別コードを、ＲＦＩＤタグ２ａから印鑑情報を、前記タイマから日時情報を取得し、サーバ８１に送信すると共に、印鑑情報及び日時情報をＲＦＩＤタグ３に書き込む。サーバ８１では識別コードと印鑑情報と日時情報とが組み合わされたデータベースが構築され、これにより、書類７及び捺印を管理することができる。捺印台８とサーバ８１とは図面上有線で接続されているものを示しているが、無線で接続されていてもよい。
【００２４】
又、リーダ／ライタ８ｂは、捺印時に、社員の所有する印鑑の印影情報や社員を特定する個人情報等の社員情報が記憶されたＲＦＩＤタグ９ａを内蔵する社員証９ａから社員情報を取得し、サーバ８１に送信すると共に、社員情報をＲＦＩＤタグ３に書き込む。このように構成することにより、サーバ８１で捺印者の適否を判断できる。又、印鑑情報と社員情報とを照合する制御部と、該制御部による照合結果を出力する液晶画面等の表示部とを備える図示しないリーダを用いれば、ＲＦＩＤタグ３から印鑑情報と社員情報とを読み取って前記制御部で照合することにより、サーバ８１にアクセスすることなく前記リーダのみで捺印者の適否を判断することができる。実施形態においては、捺印情報は、印鑑情報、社員情報、日時情報で構成されている。
【００２５】
実施形態の印鑑ホルダ１によれば、ＲＦＩＤタグを備えていない書類７であっても、捺印と同時に、識別コードが付与されたＲＦＩＤタグ３を書類７に貼り付けることができるため、捺印作業とは別にＲＦＩＤタグの貼付け作業を行うことはなく、容易に書類７ごとに捺印を管理することができる。
【００２６】
尚、実施形態においては、印鑑ホルダ１に貼付装置４を設けたものを説明したが、印鑑ホルダ１は必ずしも設ける必要はなく、この場合、印鑑本体２自体に貼付装置４を設ければよい。
【００２７】
又、実施形態においては、捺印時にＲＦＩＤタグ３に印鑑情報を書き込む構成のものを説明したが、これに限られず、印鑑情報は予めＲＦＩＤタグ３に書き込むようにしてもよい。この場合、例えば、印鑑ホルダ１にリーダ／ライタを設け、印鑑本体２を印鑑ホルダ１に挿着した際にリーダ／ライタによりＲＦＩＤタグ２ａに記憶された印鑑情報をＲＦＩＤタグ３に書き込むようにすればよい。又、印鑑本体２にＲＦＩＤタグ２ａを設けなくてもよく、例えば、印鑑情報は、貼付装置４内に設けられた記憶装置に予め記憶させておき、これを捺印時にリーダ／ライタ８ｂによって取得させ、ＲＦＩＤタグ３に書き込むようにしてもよい。
【００２８】
又、実施形態においては、リーダ／ライタ８ｂを捺印台８に設けたものを説明したが、リーダ／ライタ８ｂは印鑑ホルダ１に設けてもよい。この場合、例えば、捺印を感知する感圧装置８ａを貼付部５に設ければよい。
【００２９】
又、実施形態においては、ＲＦＩＤタグ３として、予め書類を識別するための識別コードが記憶されたものを説明したが、識別コードはＲＦＩＤタグ３に予め記憶されていなくてもよく、例えば、捺印時にリーダ／ライタ８ｂによりＲＦＩＤタグ３に識別コードを書込むようにしてもよい。
【図面の簡単な説明】
【００３０】
【図１】本発明の実施形態の印鑑ホルダの説明図。
【図２】捺印した状態を示す説明図。
【符号の説明】
【００３１】
１…印鑑ホルダ、  ２…印鑑本体、  ２ａ…ＲＦＩＤタグ（記憶手段）、  ３…ＲＦＩＤタグ（記憶素子）、  ４…貼付装置（貼付手段）、  ７…書類（捺印対象物）。
【図１】
2007125723.tif 000003
【図２】
2007125723.tif 000004